(57)【特許請求の範囲】
【請求項１】
什器に設けられた取付面に対してパネル体を着脱可能に取り付けるためのパネル体支持部材であって、
前記取付面に固定される固定部、および前記固定部から互いに平行に延びる一対の側壁部を有した支持部材本体と、
一対の前記側壁部の間において、前記側壁部のそれぞれに沿うよう設けられ、前記パネル体の端部を保持する一対の保持部材と、を備え、
一対の前記保持部材は、前記パネル体の端部を嵌合させる断面コの字状の基部と、少なくとも一方の先端部が他方の前記保持部材に接触または近接すると共に他方の前記保持部材から離間する方向に弾性変形可能な可動片と、前記基部及び前記可動片の間に設けられていて前記可動片を回動可能に支持するヒンジ部と、を有していることを特徴とするパネル体支持部材。
【請求項２】
前記可動片は、一対の前記保持部材の間に、前記固定部から離間した側から前記固定部に向かって前記パネル体が挿入されたときに、前記先端部が前記パネル体に押圧されることで他方の前記保持部材から離間する方向に弾性変形することを特徴とする請求項１に記載のパネル体支持部材。
【請求項３】
前記可動片は、前記固定部側から離間する方向に向かって他方の前記保持部材側に接近するよう傾斜して形成されるとともに、
前記可動片の前記先端部が他方の前記保持部材から離間する方向に回動するよう、前記可動片を回動可能に支持するヒンジ部を有することを特徴とする請求項１または２に記載のパネル体支持部材。
【請求項４】
前記可動片は、前記先端部が、前記固定部から離間した側から前記固定部側に向かって、他方の前記保持部材側に接近するよう傾斜して延び、他方の前記保持部材に接触または近接することを特徴とする請求項１または２に記載のパネル体支持部材。
【請求項５】
一対の前記保持部材の間に前記パネル体が保持された状態で、前記保持部材をその先端部で前記パネル体側に押圧する押圧部材をさらに備えることを特徴とする請求項１から４のいずれか一項に記載のパネル体支持部材。
【請求項６】
一対の前記保持部材のそれぞれに、前記可動片が形成されていることを特徴とする請求項１から５のいずれか一項に記載のパネル体支持部材。
【請求項７】
前記側壁部に、前記可動片が他方の前記保持部材から離間する方向に弾性変形したときに、前記可動片を収容する収容凹部が形成されていることを特徴とする請求項１から６のいずれか一項に記載のパネル体支持部材。
【請求項８】
上面が作業面とされた天板と、
前記天板を支持する脚部と、
前記作業面から前記天板の下方に向かって凹入するよう形成された凹部と、
前記凹部内に設けられた請求項１から７のいずれか一項に記載のパネル体支持部材と、
前記パネル体支持部材に着脱可能とされたパネル体と、
を備えることを特徴とする天板付什器。
【発明の詳細な説明】
【技術分野】
【０００１】
本発明は、パネル体支持部材、天板付什器に関する。
【背景技術】
【０００２】
オフィス等においては、デスク装置の天板上や、空間を仕切るパーティション上等に、パネル体を着脱可能に設け、必要に応じて室内空間をパネル体で仕切ることが行われている。
【０００３】
特許文献１には、デスク装置の天板やパーティション等の上端部に溝を形成し、この溝にパネル体の下端部を挿入して固定する構成が開示されている。この構成においては、溝内に、パネル体の一方の側と他方の側に一対の固定部材を設け、これらの固定部材でパネル体の下端部を挟み込むことで、パネル体を支持している。
【先行技術文献】
【特許文献】
【０００４】
【特許文献１】特許第５３２９８９７号公報
【発明の概要】
【発明が解決しようとする課題】
【０００５】
しかしながら、特許文献１に開示された構成では、パネル体を装着しない状態では、上方から見たときに、溝内に設けられた固定部材が露呈し、外観を損ねるという問題がある。
そこでなされた本発明の目的は、パネル体を装着しない状態における外観を向上させることのできるパネル体支持部材、天板付什器を提供することである。
【課題を解決するための手段】
【０００６】
本発明は、上記課題を解決するため、以下の手段を採用する。
この発明に係るパネル体支持部材は、什器に設けられた取付面に対してパネル体を着脱可能に取り付けるためのパネル体支持部材であって、前記取付面に固定される固定部、および前記固定部から互いに平行に延びる一対の側壁部を有した支持部材本体と、一対の前記側壁部の間において、前記側壁部のそれぞれに沿うよう設けられ、前記パネル体の端部を保持する一対の保持部材と、を備え、一対の前記保持部材は、前記パネル体の端部を嵌合させる断面コの字状の基部と、少なくとも一方の先端部が他方の前記保持部材に接触または近接すると共に他方の前記保持部材から離間する方向に弾性変形可能な可動片と、前記基部及び前記可動片の間に設けられていて前記可動片を回動可能に支持するヒンジ部と、を有していることを特徴とする。
【０００７】
このようなパネル体支持部材は、支持部材本体の一対の側壁部間に、一対の保持部材が設けられている。パネル体は、一対の保持部材間に端部が挿入されて保持される。一対の保持部材のうちの少なくとも一方には、可動片が設けられており、この可動片は、先端部が他方の保持部材に接触または近接している。したがって、パネル体を一対の保持部材間に非挿入の状態では、可動片の先端部が他方の保持部材に接触または近接しているために、一対の保持部材間が閉塞されている。
また、パネル体を一対の保持部材間に挿入した状態では、可動片の先端部が他方の保持部材から離間する方向に可動片が弾性変形する。
このようにしてパネル体の端部を一対の保持部材間で保持しつつ、パネル体の非装着時には、一対の保持部材間を閉塞することで、一対の保持部材間が奥まで見える等して外観を損ねるのを抑えることができる。また、一対の保持部材間に物品等が落下するのを防ぐこともできる。
【０００８】
また、この発明に係るパネル体支持部材は、上記パネル体支持部材において、前記可動片が、一対の前記保持部材の間に前記固定部から離間した側から前記固定部に向かって前記パネル体が挿入されたときに、前記先端部が前記パネル体に押圧されることで他方の前記保持部材から離間する方向に弾性変形するようにしてもよい。
このように構成することで、可動片は、一対の保持部材間へのパネル体の挿入動作によって弾性変形するので、可動片を別途操作したりする必要が無い。これによって、パネル体の装着作業を容易かつ確実に行うことができる。
【０００９】
また、この発明に係るパネル体支持部材は、上記パネル体支持部材において、前記可動片は、前記固定部側から離間する方向に向かって他方の前記保持部材側に接近するよう傾斜して形成されるとともに、前記可動片の前記先端部が他方の前記保持部材から離間する方向に回動するよう、前記可動片を回動可能に支持するヒンジ部を有するようにしてもよい。
このように構成することで、一対の保持部材間にパネル体を挿入すると、パネル体に押圧されることで、可動片はヒンジ部を中心として回動し、先端部が他方の保持部材から離間する。これによって、可動片と他方の保持部材との間にパネル体を挿入することができる。
【００１０】
また、この発明に係るパネル体支持部材は、上記パネル体支持部材において、前記可動片は、前記先端部が、前記固定部から離間した側から前記固定部側に向かって、他方の前記保持部材側に接近するよう傾斜して延び、他方の前記保持部材に接触または近接するようにしてもよい。
このように構成することで、一対の保持部材間にパネル体を挿入すると、パネル体に押圧されることで、可動片は固定部から離間した側を中心として回動し、先端部が他方の保持部材から離間する。これによって、可動片と他方の保持部材との間にパネル体を挿入することができる。
【００１１】
また、この発明に係るパネル体支持部材は、上記パネル体支持部材において、一対の前記保持部材の間に前記パネル体が保持された状態で、前記保持部材をその先端部で前記パネル体側に押圧する押圧部材をさらに備えるようにしてもよい。
このように構成することで、押圧部材で保持部材をパネル体に押圧することによって、パネル体を確実に保持することができる。
【００１２】
また、この発明に係るパネル体支持部材は、上記パネル体支持部材において、一対の前記保持部材のそれぞれに、前記可動片が形成されているようにしてもよい。
このように構成することで、パネル体の非装着時には、一対の可動片によって、一対の保持部材間を、より確実に閉塞することができる。
【００１３】
また、この発明に係るパネル体支持部材は、上記パネル体支持部材において、前記側壁部に、前記可動片が他方の前記保持部材から離間する方向に弾性変形したときに、前記可動片を収容する収容凹部が形成されているようにしてもよい。
このように構成することで、パネル体を装着した状態では、可動片が収容凹部に収容されるため、可動片が露呈するのを抑えて、外観をさらに向上させることができる。
【００１４】
また、この発明に係る天板付什器は、上面が作業面とされた天板と、前記天板を支持する脚部と、前記作業面から前記天板の下方に向かって凹入するよう形成された凹部と、前記凹部内に設けられた上記したようなパネル体支持部材と、前記パネル体支持部材に着脱可能とされたパネル体と、を備えることを特徴とする。
【００１５】
このように構成することで、パネル体の端部をパネル体支持部材に設けられた一対の保持部材間で保持しつつ、パネル体の非装着時には、一対の保持部材間を閉塞する。これによって、一対の保持部材間が奥まで見える等して外観を損ねるのを抑えることができる。
【発明の効果】
【００１６】
この発明に係るパネル体支持部材、天板付什器によれば、パネル体の非装着時には、一対の保持部材間が奥まで見える等して外観を損ねるのを抑えることで、パネル体を装着しない状態における外観を向上させることが可能となる。
【図面の簡単な説明】
【００１７】
【図１】この発明の第１の実施形態に係るテーブルの全体構成を示す平面図である。
【図２】上記テーブルの側面図である。
【図３】上記テーブルに設けたパネル体支持部材を示す側断面図である。
【図４】パネル体支持部材の拡大断面図である。
【図５】パネル体支持部材にパネル体を装着した状態を示す拡大断面図である。
【図６】上記パネル体を固定する固定部材のパネル体支持部材への装着状態を示す図である。
【図７】この発明の第２の実施形態に係るパネル体支持部材を示す側断面図である。
【発明を実施するための形態】
【００１８】
以下、添付図面を参照して、本発明によるパネル体支持部材、天板付什器を実施するための形態を説明する。しかし、本発明はこれらの実施形態のみに限定されるものではない。
【００１９】
（第１の実施形態）
図１は、この発明の第１の実施形態に係るテーブルの全体構成を示す平面図である。図２は、上記テーブルの側面図である。図３は、上記テーブルに設けたパネル体支持部材を示す側断面図である。図４は、パネル体支持部材の拡大断面図である。図５は、パネル体支持部材にパネル体を装着した状態を示す拡大断面図である。図６は、上記パネル体を固定する固定部材のパネル体支持部材への装着状態を示す図である。
図１、図２に示すように、テーブル（什器、天板付什器）１０は、床面Ｆ（図２参照）上に起立する複数の脚（脚部）２０と、これら複数の脚２０上に支持される天板３０と、を備えている。
【００２０】
この実施形態のテーブル１０において、天板３０は、例えば平面視長方形状で、その上面（作業面）３０ｆに沿った第一の方向Ｘに短く、上面３０ｆに沿った面内で第一の方向Ｘに直交する第二の方向Ｙに長く形成されている。天板３０は、平面視長方形状に限らず、長円形、楕円形等の平面視形状としてもよい。
【００２１】
脚２０は、天板３０において長手方向である第二の方向Ｙの一端側と他端側とに、それぞれ設けられている。各脚２０は、短手方向である第一の方向Ｘの両端部にそれぞれ設けられた脚部材２１、２１と、これら脚部材２１、２１の上部同士を連結する上部連結部材２２と、を備えている。
【００２２】
図２に示すように、第一の方向Ｘの両端部に位置する脚部材２１，２１は、第二の方向Ｙから見たときの第一の方向Ｘに沿った間隔が、上方から下方に向けて漸次増大するよう形成されている。
【００２３】
図１、図２に示すように、第二の方向Ｙにおいて互いに隣接する脚２０，２０の上部連結部材２２，２２の間には、第二の方向Ｙに沿って延びる二本一対のビーム４０，４０が設けられている。これらビーム４０，４０は、第一の方向Ｘにおける上部連結部材２２の長さ方向中間部に、第一の方向Ｘに間隔をあけて設けられている。
各ビーム４０は、その両端部が、ブラケット等を用いたボルト締結、溶接等の接合手段によって上部連結部材２２に接合されている。
【００２４】
また、図１に示すように、ビーム４０，４０に対し、第一の方向Ｘに沿った一方の側と他方の側に、それぞれサイドビーム４１が設けられている。各サイドビーム４１は、ブラケット等を用いたボルト締結、溶接等の接合手段によって上部連結部材２２に接合されている。
サイドビーム４１とビーム４０との間には、第一の方向Ｘに沿って延びる連結ビーム４２が接合されている。
【００２５】
天板３０は、第一の方向Ｘの一方の側と他方の側に、それぞれ設けられている。各天板３０は、上部連結部材２２、ビーム４０、サイドビーム４１、および連結ビーム４２上に支持され、図示しない取付金具によって固定されている。
【００２６】
第一の方向Ｘにおいて互いに対向する天板３０、３０の間には、第二の方向に沿って連続する平面視矩形状の開口部３５が形成されている。この開口部３５は、第一の方向Ｘに沿った両側の縁部３５ａ，３５ａが、ビーム４０，４０よりも、第一の方向Ｘにおいて内側に張り出すよう形成されている。
【００２７】
図３に示すように、ビーム４０，４０の間には、開口部３５の下方に、底部材（取付面）４９が溶接等によりそれぞれ固定されている。底部材４９は、第二の方向Ｙに沿って延びる筒状で、例えば、金属製の板材を中空の板状に折り曲げて構成することができる。底部材４９には、上下方向Ｚに貫通する貫通孔（図示無し）が形成されている。
【００２８】
底部材４９と、ビーム４０，４０と、天板３０とに囲まれて、配線挿通部（凹部）５０が構成されている。
配線挿通部５０内には、天板３０上で使用する各種の機器に接続される配線１００が、床面Ｆ（図２参照）側から底部材４９の貫通孔（図示無し）を通して導入される。
【００２９】
配線挿通部５０には、開口部３５の第一の方向Ｘの中央部に対応する位置に設けられたオプション取付部材（パネル体支持部材）Ａと、オプション取付部材Ａに対し、第一の方向Ｘの両側にそれぞれ設けられた配線カバー５１と、が設けられている。
【００３０】
配線カバー５１は、後に詳述するオプション取付部材Ａの内側壁部６３と、開口部３５の縁部３５ａとの間に、開閉可能に設けられている。配線カバー５１は、天板３０の上面３０ｆに連続するよう設けられるカバー本体５２と、カバー本体５２に対し、開口部３５の縁部３５ａ側に設けられたフチ部材５３と、を備えている。
【００３１】
カバー本体５２には、オプション取付部材Ａ側の縁部の下面に、フック部５２ｆが設けられている。
【００３２】
フチ部材５３は、基端部５３ａがカバー本体５２において開口部３５の縁部３５ａ側の端部５２ａに固定され、先端部５３ｂが、開口部３５の縁部３５ａに近接して位置するよう設けられている。このフチ部材５３は、ゴム等の柔軟で弾性変形可能な材料で形成されている。フチ部材５３の下面には、第二の方向Ｙに沿って延びる複数の溝５３ｍが形成され、フチ部材５３が、基端部５３ａに対して先端部５３ｂ側が上下に変位する方向に弾性変形しやすくなっている。
【００３３】
配線カバー５１は、底部材４９上に設けられたカバー支持部材５４により支持されている。カバー支持部材５４は、第一の方向Ｘに沿って延び、底部材４９に固定されたベース５５と、ベース５５の両端部から上方に延びる腕部５６、５７とを有している。腕部５６の上端部には、第二の方向Ｙに延びる支持軸５６ａが設けられている。この支持軸５６ａが、カバー本体５２のフック部５２ｆに係合され、カバー本体５２が支持軸５６ａを中心として回動自在に支持されている。
【００３４】
配線カバー５１は、腕部５７上にカバー本体５２を載置したときに、カバー本体５２が天板３０の上面３０ｆとほぼ平行に配置され、配線カバー５１が配線挿通部５０の開口部３５の一部を塞ぐ。配線挿通部５０内に収容された配線１００は、配線カバー５１を閉じた状態であっても、フチ部材５３の先端部５３ｂ側を上方に変形させることで、天板３０上に引き出すことができる。
このとき、カバー本体５２において、オプション取付部材Ａ側の端部５２ｂに、オプション取付部材Ａ側に向かって斜め下方に延びるスカート部５２ｓを形成しておくのが好ましい。カバー本体５２の端部５２ｂとオプション取付部材Ａとの隙間には、後述するオプション部材３５０が配置されることがある。オプション部材３５０を装着しないときに、スカート部５２ｓにより、カバー本体５２の端部５２ｂとオプション取付部材Ａとの隙間を目隠しすることができる。
【００３５】
また、配線カバー５１を、支持軸５６ａを中心としてフチ部材５３側を上方に跳ね上げるように回転させることで、配線カバー５１を開くことができる。
このとき、カバー本体５２の端部５２ａに、フチ部材５３の基端部５３ａよりも第一の方向Ｘに沿って開口部３５の縁部３５ａ側に突出するエッジ部５２ｅを形成しておくのが好ましい。これにより、配線カバー５１のエッジ部５２ｅに手指をかけることで、配線カバー５１のフチ部材５３側を容易に上方に跳ね上げることができる。
【００３６】
オプション取付部材Ａは、第二の方向Ｙに連続して延びるよう形成され、配線挿通部５０内に収容されている。オプション取付部材Ａは、取付部材本体（支持部材本体）６０と、ブッシュ２００と、を備えている。
【００３７】
図４に示すように、取付部材本体６０は、底部材４９の上面に沿って設けられる板状の底板部６１と、底板部６１において第一の方向Ｘの両端部からそれぞれ上方に向かって立ち上がる外側壁部６２と、底板部６１において外側壁部６２，６２に対し第一の方向Ｘの内側で、それぞれ上方に向かって立ち上がる内側壁部（側壁部）６３と、を備えている。
【００３８】
各外側壁部６２の上端部には、内側壁部６３側に向かって延びる外側受け部６４が形成されている。
【００３９】
内側壁部６３は、外側壁部６２よりも上方に突出するよう設けられている。
内側壁部６３には、外側受け部６４と同じ高さで、外側壁部６２側に向かって延びる内側受け部６５が形成されている。外側受け部６４と内側受け部６５との間には、第一の方向Ｘに沿って所定寸法の隙間Ｓ３が形成されている。
また、内側受け部６５には、下方に向かって延びるガイド凸部６６が形成されている。
【００４０】
内側壁部６３には、内側受け部６５よりも上方位置に、内側壁部６３の側面６３ｓに対して第一の方向Ｘに凹んだ溝部６７が形成されている。溝部６７の上下側面６７ｓ、６７ｔには、上方、下方に凹む支持溝６７ｍが形成されている。
また、内側壁部６３には、第二の方向Ｙに沿って間隔を空けた複数個所に、内側壁部６３を第一の方向Ｘに貫通する貫通孔６３ｈが形成されている。
【００４１】
内側壁部６３には、第一の方向Ｘにおいて対向する他の内側壁部６３側を向く側面６３ｔの上端部に、対向する他の内側壁部６３から離間する方向に凹む収容凹部６８が形成されている。
さらに、内側壁部６３の側面６３ｔには、収容凹部６８よりも下方位置で、他の内側壁部６３側に向かって突出する突起６９Ａ，６９Ｂが、上下方向に間隔を空けて設けられている。
内側壁部６３の上端部６３ａは、対向する他の内側壁部６３側に向かって延び、互いに対向する内側壁部６３，６３の上端部６３ａ，６３ａは、第一の方向Ｘにおいて所定寸法の隙間Ｓ１を介して対向している。
【００４２】
このような取付部材本体６０において、第一の方向Ｘで互いに対向する内側壁部６３，６３の間が、パネル体３００を支持するパネル取付部７１とされている。また、取付部材本体６０において、パネル取付部７１に対して第一の方向Ｘの両側で、内側壁部６３と外側壁部６２との間が、各種のオプション部材３５０を支持するオプション部材取付部７２とされている。
このように構成された取付部材本体６０は、アルミニウムを押出し成形すること等で一体に形成されている。
【００４３】
取付部材本体６０のオプション部材取付部７２には、各種のオプション部材３５０を取り付けることができる。オプション部材３５０は、オプション部材取付部７２に装着する固定プレート３５１を用いて取り付ける。固定プレート３５１は、オプション部材取付部７２の内側壁部６３、外側壁部６２、外側受け部６４、内側受け部６５、底板部６１とに囲まれた空間内に挿入する。このとき、固定プレート３５１は、外側壁部６２とガイド凸部６６とにより、第一の方向Ｘへの移動が規制される。この固定プレート３５１は、外側受け部６４と内側受け部６５との間の隙間Ｓ３に臨む位置に、ネジ穴３５１ｈを有している。
オプション部材３５０は、外側受け部６４と内側受け部６５との上に載置した状態で、隙間Ｓ３を通してネジ穴３５１ｈに固定ボルト３５２を締結させることで取り付けられる。
【００４４】
図５に示すように、取付部材本体６０のパネル取付部７１には、板状のパネル体３００を取り付けることができる。パネル体３００は、平板状に形成された部材である。パネル体３００は、アクリル等の樹脂や、ガラス等で形成することができる。なお、使用者等のパネル体３００を通した目線を遮りたい場合には、パネル体３００の外面に微細な凹凸等を設けたり、表面をクロス貼りに構成したりしてもよい。
【００４５】
図４、図５に示すように、パネル取付部７１には、パネル体３００の下端部（端部）３００ｂを保持するため、前記ブッシュ２００が設けられている。
ブッシュ２００は、基部２１０と、ヒンジ部２２０と、可動片２３０と、を一体に有している。ブッシュ２００は、全体として、上方に開口するコ字形状に形成されている。すなわち、ブッシュ２００は、パネル体３００の下端部３００ｂを三方から囲うように取付けられている。ブッシュ２００は、ポリプロピレン等をはじめとする各種樹脂等、弾性を有する材料で形成されている。
【００４６】
基部２１０は、パネル取付部７１の底板部６１に突き当たる底部２１０ａと、底部２１０ａの第一の方向Ｘの両端部からそれぞれ上方に立ち上がり、内側壁部６３，６３の側面６３ｓ，６３ｓに沿う側壁部２１０ｂ，２１０ｂと、を有している。
各側壁部２１０ｂには、内側壁部６３の側面６３ｓに向かって突出する突起２１１が、上下方向に間隔をあけて複数形成されている。これらの突起２１１は、内側壁部６３の側面６３ｓに形成された下側の突起６９Ｂに係合することで、ブッシュ２００がパネル取付部７１から上方に抜ける方向に移動するのを規制する。
【００４７】
ヒンジ部２２０は、基部２１０の各側壁部２１０ｂの上端部に連続して形成されている。ヒンジ部２２０は、第一の方向Ｘに沿って、対向する内側壁部６３の側面６３ｓ側に膨出するよう、湾曲して形成されている。ヒンジ部２２０は、基部２１０の側壁部２１０ｂ、および可動片２３０よりも厚みが小さく形成されている。ヒンジ部２２０において、内側壁部６３の側面６３ｓに対向する側には、突起６９Ａ，６９Ｂが挿入される凹部２２０ａ，２２０ｂが形成されている。
【００４８】
図４に示すように、可動片２３０は、ヒンジ部２２０の上端部から連続して上方に向かって延びるよう形成されている。可動片２３０は、上方に向かってパネル取付部７１内で対向する他の可動片２３０側に接近するよう傾斜して形成されている。パネル取付部７１内で、互いに対向する可動片２３０，２３０は、先端部２３０ｔ，２３０ｔ同士が互いに近接または互いに突き当たるよう設けられている。
また、各可動片２３０は、先端部２３０ｔに、上方に向かって対向する他の可動片２３０から離間する側に湾曲した湾曲部２３０ｗを有している。
このようにして、パネル体３００を装着しない状態では、パネル取付部７１内で、互いに対向する可動片２３０，２３０の先端部２３０ｔ，２３０ｔ同士が互いに近接または互いに突き当たることで、上方から見たときに、内側壁部６３，６３の上端部６３ａ，６３ａの隙間Ｓ１が閉塞される。
【００４９】
図５に示すように、このような可動片２３０，２３０は、パネル取付部７１内で、ヒンジ部２２０が弾性変形することで、ヒンジ部２２０，２２０を中心として先端部２３０ｔ，２３０ｔが互いに離間する方向に変位可能となっている。
【００５０】
このようなブッシュ２００を収容したパネル取付部７１に対してパネル体３００を装着するには、パネル体３００の下端部３００ｂを、内側壁部６３，６３の上端部６３ａ，６３ａの隙間Ｓ１から、パネル取付部７１内に挿入する。
パネル体３００の下端部３００ｂが、パネル取付部７１内のブッシュ２００の可動片２３０，２３０の先端部２３０ｔ，２３０ｔに当たり、さらにパネル体３００を下降させると、先端部２３０ｔ，２３０ｔが互いに離間する方向に可動片２３０，２３０が押し広げられる。この状態で、各可動片２３０の湾曲部２３０ｗは、収容凹部６８内に収容される。
【００５１】
押し広げられた可動片２３０，２３０が内側壁部６３，６３の側面６３ｓ，６３ｓに沿って互いに平行となった後、パネル体３００を、下端部３００ｂが基部２１０の底部２１０ａに突き当たるまで下降させる。
この状態で、パネル体３００の両側にそれぞれ配置された側壁部２１０ｂ、可動片２３０とで、パネル体３００の下端部３００ｂを保持している。すなわち、パネル体３００の両側に位置する側壁部２１０ｂ、可動片２３０とで、パネル体３００の下端部３００ｂを保持する一対の保持部材２０１が形成されている。
【００５２】
ここで、パネル体３００の下端部３００ｂの両面には、パネル体３００の保護、パネル体３００と可動片２３０，２３０とのクリアランス調整、パネル体３００と可動片２３０，２３０との間の摩擦抵抗低減等のために、フィルム体３１０を貼着しておいてもよい。
さらに、フィルム体３１０に、ヒンジ部２２０に係合する突起３１１を形成しておき、パネル体３００の下端部をブッシュ２００内に挿入した状態で、パネル体３００が上方に抜け出るのを防ぐようにしてもよい。
【００５３】
パネル体３００の下端部３００ｂをパネル取付部７１内のブッシュ２００に挿入した後は、内側壁部６３に形成された溝部６７の支持溝６７ｍに、固定プレート（押圧部材）２５０を挿入する。図６に示すように、固定プレート２５０は、例えば、溝部６７の上下側面６７ｓ、６７ｔの間隔よりも短手方向の幅ｗ１が小さく、かつ溝部６７の上下側面６７ｓ、６７ｔの間隔よりも長手方向の幅ｗ２が大きい、長円形をなしたものとすることができる。固定プレート２５０には、固定ボルト（押圧部材）２５１が螺合するネジ穴２５２ａを有したボス２５２が一体に形成されている。
このような固定プレート２５０は、長手方向を第二の方向Ｙに向けた状態（図６中、実線で図示）で、溝部６７の上下側面６７ｓ、６７ｔの間に挿入する。次いで、固定プレート２５０を、長手方向が上下方向Ｚを向くよう、溝部６７内で回転させ（図６中、二点鎖線で図示）、長手方向の両端部２５０ａ，２５０ａを支持溝６７ｍ，６７ｍに挿入させる。この状態で、ボス２５２のネジ穴２５２ａに固定ボルト２５１をねじこみ、固定ボルト２５１の先端部２５１ａを、内側壁部６３に形成された貫通孔６３ｈを通し、ブッシュ２００の可動片２３０に押し付ける。
このようにしてパネル取付部７１の第一の方向Ｘの両側に装着した固定ボルト２５１，２５１により、ブッシュ２００の可動片２３０，２３０を介し、パネル体３００の下端部３００ｂを締め付けることで、パネル体３００の下端部３００ｂを強固に固定する。
【００５４】
上述したような構成によれば、オプション取付部材Ａは、テーブル１０に設けられた底部材４９に対してパネル体３００を取り付けるためのオプション取付部材Ａであって、底部材４９に固定される底板部６１、および底板部６１から互いに平行に延びる一対の内側壁部６３，６３を有した取付部材本体６０と、一対の内側壁部６３，６３の間において、内側壁部６３，６３のそれぞれに沿うよう設けられ、パネル体３００の下端部３００ｂを保持する一対の保持部材２０１，２０１と、を備えている。さらに、一対の保持部材２０１，２０１に、先端部２３０ｔが他方の保持部材２０１に接触または近接するとともに、他方の保持部材２０１から離間する方向に弾性変形可能な可動片２３０が形成されている。
このようなオプション取付部材Ａにおいて、パネル体３００は、一対の保持部材２０１，２０１間に下端部３００ｂが挿入されて保持される。一対の保持部材２０１，２０１のそれぞれには、可動片２３０が設けられており、この可動片２３０は、先端部２３０ｔが他方の保持部材２０１の可動片２３０に接触または近接している。したがって、パネル体３００を一対の保持部材２０１，２０１間に非挿入の状態では、可動片２３０の先端部２３０ｔが他方の保持部材２０１に接触または近接しているために、一対の保持部材２０１，２０１間が閉塞されている。
また、パネル体３００を一対の保持部材２０１，２０１間に挿入した状態では、可動片２３０の先端部２３０ｔが他方の保持部材２０１から離間する方向に可動片２３０が弾性変形する。
このようにしてパネル体３００の下端部３００ｂを一対の保持部材２０１，２０１間で保持しつつ、パネル体３００の非装着時には、一対の保持部材２０１，２０１間を閉塞することで、一対の保持部材２０１，２０１間が奥まで見える等して外観を損ねるのを抑えることができる。その結果、パネル体３００を装着しない状態における外観を向上させることが可能となる。また、一対の保持部材２０１，２０１間に外部から物品等が入り込むのを防止することができる。
【００５５】
また、上記オプション取付部材Ａにおいて、可動片２３０は、一対の保持部材２０１，２０１の間に、底板部６１から離間した側から底板部６１に向かってパネル体３００が挿入されたときに、先端部２３０ｔがパネル体３００に押圧されることで他方の保持部材２０１から離間する方向に弾性変形する。
このように構成することで、可動片２３０は、一対の保持部材２０１，２０１間へのパネル体３００の挿入動作によって弾性変形するので、可動片２３０を別途操作したりする必要が無い。これによって、パネル体３００の装着作業を容易かつ確実に行うことができる。
【００５６】
また、上記オプション取付部材Ａにおいて、可動片２３０は、底板部６１側から離間する方向に向かって他方の保持部材２０１側に接近するよう傾斜して形成されるとともに、可動片２３０の先端部２３０ｔが他方の保持部材２０１から離間する方向に回動するよう、可動片２３０を回動可能に支持するヒンジ部２２０を有する。
このように構成することで、一対の保持部材２０１，２０１間にパネル体３００を挿入すると、パネル体３００に押圧されることで、可動片２３０はヒンジ部２２０を中心として回動し、先端部２３０ｔが他方の保持部材２０１から離間する。これによって、可動片２３０と他方の保持部材２０１との間にパネル体３００を挿入することができる。
【００５７】
また、上記オプション取付部材Ａにおいて、一対の保持部材２０１，２０１の間にパネル体３００が保持された状態で、保持部材２０１をパネル体３００側に押圧する固定ボルト２５１および固定プレート２５０をさらに備える。
このように構成することで、固定ボルト２５１および固定プレート２５０で保持部材２０１をパネル体３００に押圧することによって、パネル体３００を確実に保持することができる。
【００５８】
さらに、可動片２３０は、一対の保持部材２０１のそれぞれに形成されている。これにより、パネル体３００の非装着時には、一対の可動片２３０，２３０によって一対の保持部材２０１，２０１間を、より確実に閉塞することができる。
【００５９】
また、取付部材本体６０の内側壁部６３に、可動片２３０が他方の保持部材２０１から離間する方向に弾性変形したときに、可動片２３０の湾曲部２３０ｗを収容する収容凹部６８が形成されている。このように構成することで、パネル体３００を装着した状態では、可動片２３０の湾曲部２３０ｗが収容凹部６８に収容されるため、隙間Ｓ１から可動片２３０が露呈するのを抑えて、外観をさらに向上させることができる。
【００６０】
また、上述したテーブル１０は、上面３０ｆが作業面とされた天板３０と、天板３０を支持する脚２０と、作業面である上面３０ｆから天板３０の下方に向かって凹入するよう形成された配線挿通部５０と、配線挿通部５０内に設けられたオプション取付部材Ａと、オプション取付部材Ａに着脱可能とされたパネル体３００と、を備える。
このように構成することで、パネル体３００の下端部３００ｂをオプション取付部材Ａに設けられた一対の保持部材２０１，２０１間で保持しつつ、パネル体３００の非装着時には、一対の保持部材２０１，２０１間を閉塞する。これによって、一対の保持部材２０１，２０１間が奥まで見える等して外観を損ねるのを抑えることができる。
【００６１】
（第２の実施形態）
次に、本発明にかかるパネル体支持部材、天板付什器の第２の実施形態について説明する。なお、以下に示す第２の実施形態では、上記第１の実施形態に対し、ブッシュ４００の構成が異なるのみである。したがって、以下の説明においては、上記第１の実施形態と共通する構成については図中に同符号を付してその説明を省略する。
図７は、この発明の第２の実施形態に係るパネル体支持部材を示す側断面図である。
【００６２】
オプション取付部材Ａのパネル取付部７１には、パネル体３００の下端部３００ｂを保持するブッシュ４００が設けられている。
ブッシュ４００は、基部４１０と、可動片４３０と、を一体に有している。ブッシュ４００は、全体として、上方に開口するコ字形状に形成されている。すなわち、ブッシュ４００は、パネル体３００の下端部３００ｂを三方から囲うように取付けられている。ブッシュ４００は、ポリプロピレン等をはじめとする各種樹脂等、弾性を有する材料で形成されている。
【００６３】
基部４１０は、パネル取付部７１の底板部６１に突き当たる底部４１０ａと、底部４１０ａの第一の方向Ｘの両端部からそれぞれ上方に立ち上がり、内側壁部６３，６３の側面６３ｓ，６３ｓに沿い、収容凹部６８近くまで延びる側壁部４１０ｂ，４１０ｂと、を有している。
各側壁部４１０ｂには、内側壁部６３の側面６３ｔに対向する位置に、凹部４１０ｓが形成されている。
また、各側壁部４１０ｂの上端部には、対向する他の側壁部４１０ｂ側を向く面４１０ｆに、後述する可動片４３０の先端部４３０ｓを収容する収容凹部４１１が形成されている。
【００６４】
可動片４３０は、側壁部４１０ｂの上端部から連続して形成されている。可動片４３０は、収容凹部６８内で、上方に向かってパネル取付部７１内で対向する他の可動片４３０から離間するようにＣ字状に湾曲して形成されている。可動片４３０の先端部４３０ｓは、対向する他の可動片４３０側に向かって斜め下方に延びるよう形成されている。この可動片４３０は、基部４１０よりも厚みが小さく形成されている。
これにより、パネル取付部７１内で、互いに対向する可動片４３０，４３０は、先端部４３０ｓ，４３０ｓ同士が互いに近接または互いに突き当たるよう設けられている。
【００６５】
このような可動片４３０，４３０は、先端部４３０ｓ，４３０ｓが下方に向かって弾性変形することで、先端部４３０ｓ，４３０ｓが互いに接離可能となっている。なお、可動片４３０，４３０は、パネル体３００を装着しない状態では、前述したように、先端部４３０ｓ，４３０ｓ同士が互いに近接または互いに突き当たるよう設けられている。
【００６６】
このようなブッシュ４００を収容したパネル取付部７１に対してパネル体３００を装着するには、パネル体３００の下端部３００ｂを、内側壁部６３，６３の上端部６３ａ，６３ａの隙間Ｓ１から、パネル取付部７１内に挿入する。
パネル体３００の下端部３００ｂが、パネル取付部７１内のブッシュ４００の可動片４３０，４３０の先端部４３０ｓ，４３０ｓに当たり、さらにパネル体３００を下降させると、先端部４３０ｓ，４３０ｓが押し下げられて互いに離間する。
可動片４３０，４３０の先端部４３０ｓ，４３０ｓが、基部４１０の側壁部４１０ｂに形成された収容凹部４１１に収まると（図７中、二点鎖線で示した状態）、パネル体３００をさらに下方に下降させることができる。パネル体３００の下端部３００ｂが基部４１０の底部４１０ａに突き当たるまで下降させることで、パネル体３００が装着される。この状態で、パネル体３００の両側にそれぞれ配置された側壁部４１０ｂ、可動片４３０とで、パネル体３００の下端部３００ｂを保持している。すなわち、パネル体３００の両側に位置する側壁部４１０ｂ、可動片４３０とで、パネル体３００の下端部３００ｂを保持する一対の保持部材４０１が形成されている。
【００６７】
上述したような構成によれば、可動片４３０は、先端部４３０ｓが、底板部６１から離間した側から底板部６１側に向かって、他方の保持部材４０１側に接近するよう傾斜して延び、他方の保持部材４０１に接触または近接している。このように構成することで、一対の保持部材４０１，４０１間にパネル体３００を挿入すると、パネル体３００に押圧されることで、可動片４３０の先端部４３０ｓは底板部６１から離間した側を中心として回動し、先端部４３０ｓが他方の保持部材４０１から離間する。これによって、可動片４３０と他方の保持部材４０１との間にパネル体３００を挿入することができる。
【００６８】
また、上記第１の実施形態と同様、パネル体３００の下端部３００ｂを一対の保持部材４０１，４０１間で保持しつつ、パネル体３００の非装着時には、一対の保持部材４０１，４０１間を閉塞することで、一対の保持部材４０１，４０１の隙間が奥まで見える等して外観を損ねるのを抑えることができる。その結果、パネル体３００を装着しない状態における外観を向上させることが可能となる。
【００６９】
（その他の実施形態）
なお、本発明のパネル体支持部材、天板付什器は、図面を参照して説明した上述の各実施形態に限定されるものではなく、その技術的範囲において様々な変形例が考えられる。
例えば、可動片２３０，４３０を、互いに対向して二個一対で設けるようにしたが、互いに対向する一対の保持部材２０１，２０１、４０１，４０１のいずれか一方のみに設け、他方の保持部材２０１、４０１に向かって接離するよう設けてもよい。
【００７０】
また、オプション取付部材Ａは、パネル取付部７１の他に、オプション部材取付部７２を備えるようにしたが、パネル取付部７１のみを備えるようにしてもよい。
【００７１】
また、取付部材本体６０やブッシュ２００，４００の具体的な形状等の構成は、所要の機能を果たすことができるのであれば、適宜変更可能である。
【００７２】
さらに、オプション取付部材Ａを、配線挿通部５０内に設けるようにしたが、これを天板３０上等、他の取付面に設けてもよい。
【００７３】
加えて、上記実施形態で示したテーブル１０は、第一の方向Ｘの両側に天板３０，３０を備える対面利用式とし、オプション取付部材Ａを、第一の方向Ｘの両側に位置する天板３０，３０の間に設けるようにしたが、これに限らない。天板３０の一方の側に利用者が位置して利用する片面使用式のテーブルの場合、天板３０の他方の端部にオプション取付部材Ａを設けてもよい。その場合、上記実施形態で示したオプション取付部材Ａにおいて、一方のオプション部材取付部７２を省略することもできる。
【００７４】
また、上記実施形態では、テーブル１０を例に挙げたが、他に、デスク装置、カウンター等、他の天板付什器においても、本発明を同様に適用することが可能である。
これ以外にも、本発明の主旨を逸脱しない限り、上記実施の形態で挙げた構成を取捨選択したり、他の構成に適宜変更したりすることが可能である。
【符号の説明】
【００７５】
１０  テーブル（什器、天板付什器）
２０  脚（脚部）
３０  天板
３０ｆ  上面（作業面）
４９  底部材（取付面）
５０  配線挿通部（凹部）
６０  取付部材本体（支持部材本体）
６１  底板部（固定部）
６３  内側壁部（側壁部）
６８  収容凹部
２００、４００  ブッシュ
２０１、４０１  保持部材
２２０  ヒンジ部
２３０、４３０  可動片
２３０ｔ、４３０ｓ  先端部
２５０  固定プレート（押圧部材）
２５１  固定ボルト（押圧部材）
３００  パネル体
３００ｂ  下端部（端部）
Ａ  オプション取付部材（パネル体支持部材）
Ｆ  床面
【図１】
0006692149.tif 000002
【図２】
0006692149.tif 000003
【図３】
0006692149.tif 000004
【図４】
0006692149.tif 000005
【図５】
0006692149.tif 000006
【図６】
0006692149.tif 000007
【図７】
0006692149.tif 000008